(57)【特許請求の範囲】
【請求項１】
水平状態の使用位置と、略垂直状態の収納位置とに回動可能に設けられる天板部と、
前記天板部を支持する支持脚と、
該支持脚の下部に昇降可能に設けられるキャスタと、
該キャスタを昇降させる昇降手段と、
前記支持脚の下部に設けられ、前記キャスタが上昇された際に該キャスタに代わって床面に接して移動机を支持するアジャスタ部と、
前記天板部が前記略垂直状態にある際、及び該天板部が前記略垂直状態から前記水平状態に戻された際に、前記昇降手段により前記キャスタが下降して床面に接し、当該移動机を移動可能な第１状態を保持する第１状態保持手段と、
前記天板部が前記水平状態にある際に、前記第１状態を解除し、前記昇降手段により前記キャスタを上昇させ、前記アジャスタ部が床面に接して当該移動机を移動不能な第２状態を保持する第２状態保持手段と、
を備えることを特徴とする移動机。
【請求項２】
前記昇降手段は、
前記天板部の側方に設けられるブラケット部に揺動可能に軸支される第１レバーを有し、前記天板部の下側に配置される第１レバー機構と、
中空状の前記支持脚内の上下方向に延設され、上端側が前記第１レバー機構に連結されて上下動する被駆動部材と、
前記被駆動部材の下端部に連結され、前記支持脚の下端部の前後方向に延在されて前記アジャスタ部を下方に備える脚座内に移動可能に設けられると共に、下面側に複数の前記キャスタが並設されたキャスタベースと、
前記被駆動部材と係合し、前記第１レバー機構の動作に連動して前記キャスタベースを昇降させ、前記キャスタベースの上昇位置において前記キャスタを前記脚座の下面と同一高さ以上に上昇させると共に、前記キャスタベースの下降位置において前記キャスタを前記脚座の下面より下方に降下させるキャスタベース駆動手段と
を備えることを特徴とする請求項１に記載の移動机。
【請求項３】
前記第１レバー機構は、前記天板部を前記水平状態の使用位置と前記略垂直状態の収納位置との間で回動させる回動機構に兼用され、
前記被駆動部材は、ワイヤで構成され、
前記第１状態保持手段は、
前記第１レバー機構の動作に連動して、前記天板部が前記略垂直状態とされた際、及び該天板部が前記略垂直状態から前記水平状態に戻された際に、前記ワイヤを上方に引き上げるギア機構と、
前記ギア機構に係合されて、前記ワイヤの牽引状態を維持するカム構造と
を備えることを特徴とする請求項２に記載の移動机。
【請求項４】
前記キャスタベース駆動手段は、
前記脚座内に揺動自在に配置される一対のフロートリンクと、該各フロートリンクの一端側に揺動自在に連結される前記キャスタベースとから成る平行リンク機構で構成され、
前記一方のフロートリンクの他端側には、前記ワイヤの下端側が揺動可能に連結されていることを特徴とする請求項３に記載の移動机。
【請求項５】
前記第２状態保持手段は、
前記第１レバーと同軸に揺動可能に軸支される第２レバーを有する第２レバー機構で構成され、
前記第２レバー機構は、
前記天板部が前記水平状態にある際に、前記第２レバーの動作に連動して、前記第１状態保持手段が備える前記カム構造に作用して前記ワイヤの牽引状態を解除し、前記ワイヤを弛緩状態に移行させる作動部材を備えることを特徴とする請求項３に記載の移動机。
【発明の詳細な説明】
【技術分野】
【０００１】
本実施の形態は、移動机に関する。
【背景技術】
【０００２】
従来から、机の脚部に移動用のキャスタを昇降可能に設けると共に、キャスタが上昇された際にはキャスタに代わって床面に接して机を支持するアジャスタ部を設けた移動机が種々提案されている（特許文献１等）。
【０００３】
ここで、このような移動机の一種として、天板部が回動可能に設けられ、天板部の回動に伴ってキャスタが昇降されるものがある。
【０００４】
即ち、天板部を略垂直な収納位置から水平な使用位置に回動させると、その動きに連動してキャスタが下方に移動し、天板部を使用位置から収納位置に回動させると、キャスタが上方に移動すると共にアジャスタ部が接地する構成を備えた移動机が提案されている。
【先行技術文献】
【特許文献】
【０００５】
【特許文献１】特開２０１５−１５６９５４号公報
【発明の概要】
【発明が解決しようとする課題】
【０００６】
ところが、上述のような構成の移動机では、机を移動させるときは、天板部を収納位置に回動させなければならず、天板部が水平な状態で机を移動させることができなかった。
【０００７】
そのため、天板部を水平状態とした使用位置では、机を設置する位置の微調整を行うことが難しく、利便性に劣るという不都合があった。
【０００８】
本実施の形態は、天板部を略垂直状態とした収納位置から水平状態とした使用位置にした際、机を設置する位置の微調整を容易に行うことのできる移動机を提供する。
【課題を解決するための手段】
【０００９】
本実施の形態の一態様によれば、水平状態の使用位置と、略垂直状態の収納位置とに回動可能に設けられる天板部と、前記天板部を支持する支持脚と、該支持脚の下部に昇降可能に設けられるキャスタと、該キャスタを昇降させる昇降手段と、前記支持脚の下部に設けられ、前記キャスタが上昇された際に該キャスタに代わって床面に接して当該移動机を支持するアジャスタ部と、前記天板部が前記略垂直状態にある際、及び該天板部が前記略垂直状態から前記水平状態に戻された際に、前記昇降手段により前記キャスタが下降して床面に接し、当該移動机を移動可能な第１状態を保持する第１状態保持手段と、前記天板部が前記水平状態にある際に、前記第１状態を解除し、前記昇降手段により前記キャスタを上昇させ、前記アジャスタ部が床面に接して当該移動机を移動不能な第２状態を保持する第２状態保持手段と、を備える移動机が提供される。
【発明の効果】
【００１０】
本実施の形態によれば、天板部を水平状態とした使用位置において、机を設置する位置の微調整を容易に行うことのできる移動机を提供することができる。
【図面の簡単な説明】
【００１１】
【図１】実施の形態に係る移動机の一部を示す斜視図。
【図２】実施の形態に係る移動机の要部を示す拡大図。
【図３】実施の形態に係る移動机の要部を示す正面図。
【図４】実施の形態に係る移動机の構成および動作を示す説明図。
【図５】図４に示す実施の形態に係る移動机の動作の続きを示す動作説明図。
【図６】図５に示す実施の形態に係る移動机の動作の続きを示す動作説明図。
【図７】図６に示す実施の形態に係る移動机の動作の続きを示す動作説明図。
【図８】図７に示す実施の形態に係る移動机の動作の続きを示す動作説明図。
【図９】図８に示す実施の形態に係る移動机の動作の続きを示す動作説明図。
【図１０】図９に示す実施の形態に係る移動机の動作の続きを示す動作説明図。
【発明を実施するための形態】
【００１２】
次に、図面を参照して、実施の形態を説明する。以下の図面の記載において、同一又は類似の部分には同一又は類似の符号を付している。
【００１３】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１４】
（実施の形態）
［移動机の構成］
図１〜図３を参照して、本実施の形態に係る移動机１Ａの構成について説明する。
【００１５】
ここで、図１は、実施の形態に係る移動机１Ａの一部構成を示す斜視図、図２は、移動机１Ａの要部を示す拡大図、図３は、移動机１Ａの要部を示す正面図である。
【００１６】
移動机１Ａは、図１〜図３に示すような水平状態の使用位置と、後出の図７等に示すような略垂直状態の収納位置とに回動可能に設けられる天板部１０と、天板部１０を支持する左右一対の支持脚１２と、支持脚１２の下部に昇降可能に設けられるキャスタ１４と、キャスタ１４を昇降させる昇降手段２０と、支持脚１２の下部に設けられ、キャスタ１４が上昇された際に、このキャスタ１４に代わって床面Ｆに接して移動机１Ａ自体を支持するアジャスタ部１６とを備える。
【００１７】
なお、昇降手段２０の詳細については、後述する。
【００１８】
さらに、移動机１Ａは、天板部１０が略垂直状態にある際、及び天板部１０が略垂直状態から水平状態に戻された際に、昇降手段２０によりキャスタ１４が下降して床面Ｆに接し、移動机１Ａを移動可能な第１状態を保持する第１状態保持手段１００と、天板部１０が水平状態にある際に、第１状態を解除し、昇降手段２０によりキャスタ１４を上昇させ、アジャスタ部１６が床面に接して移動机１Ａを移動不能な第２状態を保持する第２状態保持手段２００とを備える。
【００１９】
第１状態保持手段１００および第２状態保持手段２００の具体例については、機構部Ｍの説明として後述する。
【００２０】
天板部１０は、例えばメラミン樹脂等で成形され、天板部１０の下方にはスチールパイプ等で構成される棚部１１が設けられている。
【００２１】
また、支持脚１２は、例えば、中空部を有する金属製の扁平楕円パイプ等で構成される。
【００２２】
なお、図１では、移動机１Ａの他端側の図示は省略されているが、他端側にも同様の構成の支持脚１２が設けられている。
【００２３】
［昇降手段の概要について］
図２〜図４を参照して、昇降手段２０（後述する機構部Ｍの一部構成に相当）の概要について説明する。
【００２４】
ここで、図４は、実施の形態に係る移動机１Ａの構成および動作を示す説明図である。
【００２５】
昇降手段２０は、天板部１０の側方に設けられるブラケット部（天板受部）１５０に揺動可能に軸支される第１レバー（ＦＬＡＰレバー）２１を有し、天板部１０の下側に配置される第１レバー機構３００（後述する機構部Ｍの一部構成に相当）を備えている。
【００２６】
また、支持脚１２の中空部１２ａ内の上下方向に延設され、上端側が第１レバー機構３００の動作に連動して上下動する被駆動部材としてのワイヤＷと、ワイヤＷの下端部に連結され、支持脚１２の下端部の前後方向に延在されてアジャスタ部１６を下方に備える金属製の脚座１３内に移動可能に設けられると共に、下面側に複数のキャスタ１４（本実施例では、各脚座１３に２個のキャスタ１４が設けられている）が並設されたキャスタベース１５を備えている。
【００２７】
さらに、ワイヤＷと係合し、第１レバー機構３００の動作に連動してキャスタベース１５を昇降させ、キャスタベース１５の上昇位置においてキャスタ１４を脚座１３の下面と同一高さ以上に上昇させると共に、キャスタベース１５の下降位置においてキャスタ１４を脚座１３の下面より下方に降下させるキャスタベース駆動手段４００を備えている。
【００２８】
キャスタベース駆動手段４００の具体例については、後述する。
【００２９】
［第１レバー機構等の概要について］
図２〜図４を参照して、第１レバー機構３００（後述する機構部Ｍの一部構成に相当）の概要について説明する。
【００３０】
第１レバー機構３００は、天板部１０を水平状態の使用位置と略垂直状態の収納位置との間で回動させる回動機構に兼用されている。
【００３１】
被駆動部材はワイヤＷで構成され、第１状態保持手段１００は、第１レバー機構３００の動作に連動して、天板部１０が略垂直状態とされた際、及び天板部１０が略垂直状態から水平状態に戻された際に、ワイヤＷを上方に引き上げるギア機構Ｇ（後述する機構部Ｍの一部構成に相当）と、このギア機構Ｇに係合されて、ワイヤＷの牽引状態を維持するカム構造Ｃ（後述する機構部Ｍの一部構成に相当）とを備える。
【００３２】
カム構造Ｃの具体例については、機構部Ｍの説明として後述する。
【００３３】
また、キャスタベース駆動手段４００は、脚座１３内に揺動自在に配置される一対のフロートリンク３０Ａ、３０Ｂと、各フロートリンク３０Ａ、３０Ｂの一端側にピン部材３２，３４によって揺動自在に連結されるキャスタベース１５とから成る平行リンク機構Ｌで構成されている。
【００３４】
また、一方のフロートリンク３０Ａの他端側３１には、ワイヤＷの下端側が揺動可能に連結されている。
【００３５】
なお、フロートリンク３０Ｂの他端側３３は、脚座１３内に揺動可能に取付けられている。
【００３６】
また、第２状態保持手段２００（後述する機構部Ｍの一部構成に相当）は、第１レバー２１と同軸に揺動可能に軸支される第２レバー（ＳＥＴレバー）２２を有する第２レバー機構５００で構成されている。
【００３７】
この第２レバー機構４００は、天板部１０が水平状態にある際に、第２レバー２２の動作に連動して、第１状態保持手段１００が備えるカム構造Ｃに作用してワイヤＷの牽引状態を解除し、ワイヤＷを弛緩状態に移行させる作動部材を備えている。
【００３８】
［機構部の構成例について］
図２〜図４を参照して、上述の昇降手段２０、第１状態保持手段１００、第２状態保持手段２００、第１レバー機構３００、キャスタベース駆動手段４００、第２レバー機構５００、ギア機構Ｇおよびカム構造Ｃを構成する機構部Ｍの構成例について説明する。
【００３９】
なお、機構部Ｍは、天板部１０の左右に一対設けられ、互いに連動して動作するようになっている。
【００４０】
機構部Ｍは、天板部１０を支持する左右一対のブラケット部１５０と、各ブラケット部１５０に回転軸１６０によって回動可能に接続される駆動ユニット２５０と、駆動ユニット２５０に回動可能に支承されるワイヤアーム金具２５と、開閉レバー部材２３と、ロックプレート２４等から構成されている。
なお、回転軸１６０は、ブラケット部１５０にボルト２７０によって螺合されている。
【００４１】
左右一対の機構部Ｍ間には、両機構部Ｍを連動させる円筒状の連動パイプ３５０が設けられている（図４参照）。
【００４２】
また、左右一対の支持脚１２間には、角パイプで構成される貫パイプ２５１が設けられている。なお、左右一対のブラケット部１５０間には、天板部１０を支える梁部材１１０が設けられている（図３参照）。
【００４３】
駆動ユニット２５０は、金属板で構成されるユニット本体５０と、このユニット本体５０の外側の表面に実装されるロータリーダンパー２６とを備えている。
また、ブラケット部１５０にはピン部材２５４が螺合され、ワイヤアーム金具２５とユニット本体２５０とを回動可能に接続している。
【００４４】
ユニット本体５０には、螺合されるピン部材２５４および回転軸部材２５５によってワイヤアーム金具２５が回動自在に支承されている。ワイヤアーム金具２５の下端側には扇型のギア歯２５ａが形成され、ロータリーダンパー２６の回転軸に設けられるギア２６ａと係合するようになっている。
【００４５】
これにより、キャスタ１４が上昇される際に、ロータリーダンパー２６の作用により、アジャスタ部１６をゆっくりと降下させることができ、床面Ｆと接地する際の衝撃を緩和することができる。
【００４６】
また、ユニット本体５０とワイヤアーム金具２５との間には、ユニット本体５０に立設される回転軸１６０によって回動自在に軸支されるロックプレート２４が設けられている。
【００４７】
また、図２および図４に示すように、第１レバー２１および第２レバー２２の回転中心となる回転軸４５０が、連動パイプ３５０の端部に固定されている。
【００４８】
回転軸４５０の外側の端部は、開閉レバー部材２３の上部に穿設されている係合孔２３ｂに係合されている。
【００４９】
また、係合孔２３ｂの形状は扇型とされている。また、回転軸４５の断面形状は略扁平状に形成されている。これにより、第１レバー２１および第２レバー２２がそれぞれ所定の角度で独立して回動可能に支承される。
【００５０】
また、回転軸４５０には、第２レバー２２の動作に連動して回動される作動部材１９０が軸支されている。
【００５１】
ユニット本体５０には、円弧状に切り欠かれたガイド部５１が形成されている。ブラケット部１５０には、ボルト２７が螺合され、このボルト２７の端部が前記ガイド部５１に沿って摺動されるように構成されている。
【００５２】
また、ロックプレート２４の端面と接触する位置に、ロックピン１７０がワイヤアーム金具２５に立設されている。なお、ロックピン１７０の先端部１７０ａには、被駆動部材としてのワイヤＷの端部が連結されている。
【００５３】
そして、前記ボルト２７の端部が前記ロックプレート２４と摺接し、天板部１０の回動に連動して、ボルト２７の端部がガイド部５１に沿って摺動されるのに伴い、このロックプレート２４を回動させるようになっている。
【００５４】
また、ロックプレート２４の端面には、凹部２４ａ、２４ｃおよび凸部２４ｂから成るカム構造Ｃが設けられている。
【００５５】
そして、ロックピン１７０とロックプレート２４のカム構造Ｃとにより、天板部１０が略垂直状態にある際、及び天板部１０が略垂直状態から水平状態に戻された際に、昇降手段によりキャスタ１４が下降して床面Ｆに接し、移動机１Ａを移動可能な第１状態を保持する第１状態保持手段１００が構成される。
【００５６】
また、詳細な動作態様については後述するが、第２レバー２２の動作に連動して回動される作動部材１９０によって、ロックプレート２４の凹部２４ｃとロックピン１７０との係合状態が解除される。
【００５７】
即ち、第２レバー２２と、作動部材１９０と、ロックプレート２４のカム構造Ｃによって、天板部１０が水平状態にある際に、第１状態を解除し、昇降手段２０によりキャスタ１４を上昇させ、アジャスタ部１６が床面に接して移動机１Ａを移動不能な第２状態を保持する第２状態保持手段が構成される。
【００５８】
なお、具体的な動作態様については後述する。
【００５９】
また、開閉レバー２３の前記ロックプレート２４側の端面には凹部２３ａが形成されている。さらに、ユニット本体５０の外側表面の所定位置には、凹部２３ａと係合するロックピン１８０Ａ、１８０Ｂが立設されている。
【００６０】
そして、天板部１０が水平状態にある場合に、第１レバー２１の操作により、凹部２３ａとロックピン１８０Ａとの係合状態が解除され、また天板部１０が略垂直状態にある場合に、第１レバー２１の操作により、凹部２３ａとロックピン１８０Ｂとの係合状態が解除されように構成されている。
【００６１】
なお、第１レバー２１の操作に伴う具体的な動作態様については後述する。
【００６２】
また、図示は省略するが、ブラケット部１５０とユニット本体５０との間、およびユニット本体５０と作動部材１９０との間のそれぞれには、回転軸４５０に巻回される巻バネが設けられている。なお、この巻バネは、開閉ハンドル２１および固定ハンドル２２のそれぞれを下方（床面方向）に付勢するように設けられている。
【００６３】
［移動机の動作態様について］
図４〜図１０の動作説明図を参照して、移動机１Ａの動作態様について説明する。
【００６４】
（移動机の基本状態）
まず、図４を参照して、本実施の形態に係る移動机１Ａの基本状態について説明する。
【００６５】
ここで、基本状態とは、移動机１Ａの天板部１０が水平状態で、アジャスタ部１６が床面Ｆに接地した状態（即ち、本実施の形態にいう第２状態が保持された状態）をいうものとする。
【００６６】
この基本状態において、第１レバー２１および第２レバー２２は、下げられた状態とされている。
【００６７】
また、開閉レバー部材２３の凹部２３ａは、下方側に位置するロックピン１８０Ａと係合されている。
【００６８】
これにより、天板部１０は水平状態の使用位置を保持してロックされる。
【００６９】
また、ロックプレート２４は、カム構造Ｃの凸部２４ａがロックピン１７０と係合されている。
【００７０】
これにより、ロックピン１７０の先端部１７０ａに連結されているワイヤＷは弛緩した状態で保持される。
【００７１】
したがって、キャスタベース駆動手段４００において、平行リンク機構Ｌの作用により、キャスタベース１５は上昇位置に保持され、キャスタ１４を脚座１３の下面と同一高さ以上に上昇させた状態で保持する。
【００７２】
また、この状態において、キャスタ１４に代わってアジャスタ部１６が床面Ｆに接した状態で保持される。
【００７３】
このように、基本状態では、アジャスタ部１６が床面Ｆに接し、移動机１Ａは移動不能な状態で所望位置に設置される。
【００７４】
（天板部の起立状態への遷移）
次に、図５〜図７の動作説明図を参照して、図４に示す基本状態から、天板部１０を起立状態へ遷移させる動作について説明する。
【００７５】
まず、図５に示すように、第１レバー２１を矢印Ｄ１０方向に手動で引き上げる。  これにより、開閉レバー部材２３の凹部２３ａとロックピン１８０Ａとの係合状態が解除され、天板部１０を回動可能な状態とされる。
【００７６】
次いで、図６および図７に示すように、天板部１０を矢印Ｄ１１方向に手動で回動させる。
【００７７】
この動作に連動して、開閉レバー部材２３は、矢印Ｄ２１方向に回動される
また、ボルト２７もガイド部５１に沿って上方に移動し、このボルト２７に押圧されてロックプレート２４も矢印Ｄ２２方向に回動される。
【００７８】
ワイヤアーム金具２５も矢印Ｄ２３方向に回動され、ロックピン１７０も上方へ移動される。
【００７９】
これにより、ロックピン１７０の先端部１７０ａに連結されているワイヤＷが矢印Ｄ１２方向（上方）に引き上げられる。
【００８０】
そして、キャスタベース駆動手段４００において、フロートリンク３０Ａ、３０Ｂが矢印Ｄ１３方向に回動され、平行リンク機構Ｌの作用により、キャスタベース１５が降下される。
【００８１】
これにより、キャスタ１４も矢印Ｄ１４方向に降下される。
【００８２】
続いて、図７に示すように、天板部１０をさらに矢印Ｄ１１方向に回動させて、天板部１０を略垂直状態（例えば、図７に示す構成例では水平面に対して約７５度）まで起立させる。
【００８３】
また、この動作に連動して、開閉レバー部材２３、ロックプレート２４およびワイヤアーム金具２５は、矢印Ｄ２１方向、Ｄ２２方向およびＤ２３方向にさらに回動される。
【００８４】
そして、開閉レバー部材２３の凹部２３ａは、上方のロックピン１８０Ｂと係合される。
【００８５】
これにより、天板部１０は略垂直状態の収容位置で保持される。
【００８６】
また、ワイヤアーム金具２５の矢印Ｄ２３方向への回動により、ロックプレート２４が備えるカム構造Ｃの凸部２４ｂをロックピン１７０が乗り越え、凹部２４ｃによってロックピン１７０が保持（ロック）される。
【００８７】
この状態において、キャスタベース駆動手段４００では、フロートリンク３０Ａ、３０Ｂが矢印Ｄ１３方向にさらに回動され、平行リンク機構Ｌの作用により、キャスタベース１５がさらに降下される。
【００８８】
これにより、キャスタ１４も矢印Ｄ１４方向にさらに降下されて床面Ｆに接地されると共に、アジャスタ部１６が矢印Ｄ１５方向に上昇される。
【００８９】
このように、図７に示す状態では、天板部１０は略垂直状態の収容位置で保持されると共に、アジャスタ部１６により移動机１Ａ自体を所望の位置に移動可能な状態（本実施の形態における第１状態）とされる。
【００９０】
なお、ロックピン１７０とロックプレート２４の凹部２４ｃとの係合状態が、後述する操作によって解除されるまで、この第１状態が保持される。
【００９１】
（天板部の水平状態への遷移）
次に、図８および図９の動作説明図を参照して、図７に示す起立状態から、天板部１０を水平状態へ遷移させる動作について説明する。
【００９２】
まず、図８に示すように、第１レバー２１を矢印Ｄ３０方向に手動で回動させる。  これにより、開閉レバー部材２３が矢印Ｄ３１方向に回動され、凹部２３ａとロックピン１８０Ｂとの係合状態が解除されて、天板部１０を下方へ回動可能な状態とされる。
【００９３】
次いで、図９に示すように、天板部１０を矢印Ｄ３２方向に手動で回動させる。
【００９４】
この動作に連動して、開閉レバー部材２３は、矢印Ｄ３３方向に回動される
また、ボルト２７もガイド部５１に沿って上方に移動し、このボルト２７に押圧されてロックプレート２４も矢印Ｄ２２方向に回動される。
【００９５】
但し、ロックピン１７０とロックプレート２４の凹部２４ｃとの係合状態は保持されているので、アジャスタ部１６により移動机１Ａ自体を所望の位置に移動可能な第１状態は保持された状態となる。
【００９６】
これにより、天板部１０を水平状態としたまま、移動机１Ａを設置する位置の微調整を行うことができる。
【００９７】
従って、従来のように天板部１０を起立させた状態でしか移動できない構成の机に比して、利便性を向上させることができる。
【００９８】
（第１状態の解除操作）
次に、図１０の動作説明図を参照して、図９に示す天板部１０の水平状態において、上述の第１状態を解除する操作について説明する。
【００９９】
上述のような移動机１Ａを設置する位置の微調整が完了した後、上述の第１状態を解除したい場合には、図１０に示すように、第２レバー２２を矢印Ｄ４０方向に回動させる。
【０１００】
この操作に連動して、作動部材１９０が矢印Ｄ４１方向に回動される。そして、作動部材１９０がロックプレート２４の突片と係合して、ロックプレート２４を押し下げる。
【０１０１】
これにより、ロックピン１７０とロックプレート２４の凹部２４ｃとの係合状態が解除され、ワイヤアーム金具２５が矢印Ｄ４２方向に回動される。
【０１０２】
そして、ワイヤアーム金具２５上のロックピン１７０が下方位置に移動し、ロックピン１７０の先端部に連結されているワイヤＷが矢印Ｄ５０方向に移動して弛緩状態に移行する。
【０１０３】
この動作に連動して、キャスタベース駆動手段４００では、フロートリンク３０Ａ、３０Ｂが矢印Ｄ５１方向に回動され、平行リンク機構Ｌの作用により、キャスタベース１５が上昇する。
【０１０４】
これにより、キャスタ１４も矢印Ｄ５２方向に上昇して床面Ｆとの接地状態が解除される。
【０１０５】
また、同時にアジャスタ部１６が矢印Ｄ５３方向に降下し、キャスタ１４に代わって床面Ｆに接地する状態へと遷移する。
【０１０６】
この際に、ワイヤアーム金具２５の回動動作は、ロータリーダンパー２６の作用により制動されるため、アジャスタ部１６をゆっくりと降下させることができ、床面Ｆと接地する際の衝撃を緩和することができる。
【０１０７】
このような動作を経て、移動机１Ａは、図４に示す基本状態に戻ることとなる。
【０１０８】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０１０９】
このように、本実施の形態はここでは記載していない様々な実施の形態などを含む。
【０１１０】
例えば、本実施の形態に係る移動机１Ａでは、被駆動部材としてワイヤＷを用いる構成について述べたが、これに限らず、被駆動部材としてロッドを用い、既知の構造によりキャスタ１４を昇降させるように構成してもよい。
【産業上の利用可能性】
【０１１１】
本実施の形態の移動机は、教室、オフィス、会議室等で使用する机に適用できる。
【符号の説明】
【０１１２】
１Ａ…移動机
１０…天板部
１１…棚部
１２…支持脚
１２ａ…中空部
１３…脚座
１４…キャスタ
１５…キャスタベース
１６…アジャスタ部
２０…昇降手段
２１…第１レバー
２２…第２レバー
２３…開閉レバー部材
２４…ロックプレート
２５…ワイヤアーム金具
２６…ロータリーダンパー
２７、２７０…ボルト
３０Ａ、３０Ｂ…フロートリンク
３２，３４…ピン部材
５０…ユニット本体
５１…ガイド部
１００…第１状態保持手段
１５０…ブラケット部
１７０、１８０Ａ、１８０Ｂ…ロックピン
１９０…作動部材
２００…第２状態保持手段
２５０…駆動ユニット
３００…第１レバー機構
３５０…連動パイプ
４００…キャスタベース駆動手段
４５０…回転軸
５００…第２レバー機構
Ｃ…カム構造
Ｆ…床面
Ｇ…ギア機構
Ｌ…平行リンク機構
Ｍ…機構部
Ｗ…ワイヤ（被駆動部材）
【図１】
0006761641.tif 000002
【図２】
0006761641.tif 000003
【図３】
0006761641.tif 000004
【図４】
0006761641.tif 000005
【図５】
0006761641.tif 000006
【図６】
0006761641.tif 000007
【図７】
0006761641.tif 000008
【図８】
0006761641.tif 000009
【図９】
0006761641.tif 000010
【図１０】
0006761641.tif 000011